(57)【要約】【課題】  国際ローミングしている移動機に迷惑電話をかけないようにする。【解決手段】  移動機２１が海外網２０に国際ローミングしているとき、その在圏しているＶＬＲ２４のＶＬＲ番号が自網１０のＨＬＲ１５に記録されている。移動機２１への着信呼があったとき、ＨＬＲに記録されているＶＬＲ番号に基づいて時刻サーバー１６により移動機２１の在圏エリアの現地時刻を算出し、発信者に通知する。発信者は、通知された現地時刻を勘案し、接続、切断又はボイスメールを選択する。これにより、時差に起因する迷惑電話を防止することができる。また、移動機２１のユーザーは、発信者に在圏エリアの現地時刻を通知するか否かを設定することができ、非通知とした場合には、通常の発信シーケンスが行われる【選択図】  図１
2005124015.tif 000002
【特許請求の範囲】
【請求項１】
国際ローミングに対応した移動体通信システムであって、
ホームレジスタに記録されている加入者の位置情報に基づいて加入者の在圏する地域の現在時刻を算出する時刻サーバーと、
前記加入者への着信呼があったときに、前記時刻サーバーを用いて加入者の在圏する地域の現在時刻を取得し、当該発信者に対し加入者の在圏する地域の現在時刻を通知する手段と
を有することを特徴とする移動体通信システム。
【請求項２】
前記加入者が、自己への着信呼があったときに、当該発信者に対し、自己の在圏する地域の現在時刻を通知する処理を実行させるか否かを設定することができるようになされていることを特徴とする請求項１記載の移動体通信システム。
【請求項３】
前記加入者の在圏する地域の現在時刻を通知する手段により、前記発信者に対し加入者の在圏する地域の現在時刻を通知した後に、前記発信者に対し、加入者に接続するか否かを選択させる手段を有することを特徴とする請求項１記載の移動体通信システム。
【請求項４】
前記発信者は、ボイスメールにメッセージを残すことを選択することができるようになされていることを特徴とする請求項３に記載の移動体通信システム。
【発明の詳細な説明】
【技術分野】
【０００１】
本発明は、国際ローミングサービスに対応した移動体通信システムに関する。
【背景技術】
【０００２】
一台の携帯電話で複数の国や地域で通信を行うことができる国際ローミングサービスが行われている。このサービスに加入しているユーザーは、その携帯電話を用いて海外から自国に電話をかけたり、あるいは、逆に海外にいるときに自国からの電話を受けたりする国際通話を行う場合が多い。
国際通話を行う場合には、発信者の属する地域と着信者の属する国や地域との間に時差があるために、不用意に電話をして相手先に迷惑をかけてしまうことがある。
【０００３】
そこで、このような問題を解決することのできる携帯電話が提案されている（特許文献１）。
この提案されている携帯電話は、各国及び地域間の時差情報を記憶する時差記憶手段と、その携帯電話ユーザーの登録地情報を記憶する登録地記憶手段と、無線基地局から送信される地域情報を受信する受信手段と、前記地域情報と前記登録地情報に基づいて前記時差記憶手段からこれら地域間の時差情報を抽出する時差抽出手段と、この抽出された時差情報と前記登録地記憶手段に記憶された登録地情報に基づいて現在滞在する地域の時刻を算出する時刻算出手段と、この算出された現在地の時刻を通知する手段と、ユーザーにより発呼要求がなされたときに発呼先の電話番号により発呼先地域を認識する発呼先認識手段とを備え、この認識された発呼先地域と現在地との時差情報を前記時差記憶手段から抽出し、該抽出された時差情報と前記算出した現在地の時刻に基づいて前記発呼先地域の時刻を算出し、該算出された発呼先地域の時刻をユーザーに通知して、時差のあるときに発呼相手に迷惑でないかを警告するようにしたものである。
この提案されている携帯電話によれば、発呼先の電話番号から発呼先地域を認識して発呼先地域の時刻を算出し、警報を発することにより、その携帯電話ユーザーが不用意に迷惑電話をかけることを防止することができる。
【特許文献１】特開２００２−１９９４４２号公報
【発明の開示】
【発明が解決しようとする課題】
【０００４】
現在導入が進められている第３世代（３Ｇ）移動体通信システムにおいては、国内と同じ携帯電話機で、発信番号に国番号を付与したりすることなく、同じ電話番号を使用して国際ローミングサービスを受けることが可能となる。
したがって、ユーザーは、相手が国際ローミング中であるかどうかを知ることができないため、相手が国際ローミング中である場合、時差の関係で着信したくない状況が予想される。
なお、同じ電話番号を使用することができる国際ローミングの場合には、発呼先の電話番号に国番号などが含まれないため、電話番号から発呼先地域を認識することができないため、上記提案されている携帯電話を適用することができない。
【０００５】
そこで、本発明は、同じ電話番号を使用することができる国際ローミングサービスにおいて、相手先の現在時刻を通知することにより、ユーザーが不用意に迷惑電話をかけてしまうことを防止することができる移動体通信システムを提供することを目的としている。
【課題を解決するための手段】
【０００６】
上記目的を達成するために、本発明の移動体通信システムは、国際ローミングに対応した移動体通信システムであって、ホームレジスタに記録されている加入者の位置情報に基づいて加入者の在圏する地域の現在時刻を算出する時刻サーバーと、前記加入者への着信呼があったときに、前記時刻サーバーを用いて加入者の在圏する地域の現在時刻を取得し、当該発信者に対し加入者の在圏する地域の現在時刻を通知する手段とを有するものである。
また、前記加入者が、自己への着信呼があったときに、当該発信者に対し、自己の在圏する地域の現在時刻を通知する処理を実行させるか否かを設定することができるようになされているものである。
さらに、前記加入者の在圏する地域の現在時刻を通知する手段により、前記発信者に対し加入者の在圏する地域の現在時刻を通知した後に、前記発信者に対し、加入者に接続するか否かを選択させる手段を有するものである。
さらにまた、前記発信者は、ボイスメールにメッセージを残すことを選択することができるようになされているものである。
【発明の効果】
【０００７】
本発明の移動体通信システムによれば、発信者は、相手のユーザーが国外にいることを認識することができるので、緊急でない用件で国外滞在中のユーザーを起こすといった事態を避けることができる。
また、移動機に機能を追加することなく、網側の対応のみで実現することができる。
さらに、在圏エリア時刻を通知する機能のオン／オフをユーザーが選択することができるため、国外にいることを知られたくない場合にも対応可能である。
さらにまた、接続するかどうかの選択権を発信者に与えたので、緊急を要する用件があった場合のみ連絡を受けることができ、お互いにいやな思いをすることがなくなる。
また、緊急でない場合には、ボイスメールにメッセージを残すことも選択することができる。
【発明を実施するための最良の形態】
【０００８】
図１は、本発明の移動体通信システムを含む通信システムの概略構成を示すブロック図である。
この図において、１０は本発明の移動体通信システム（以下、単に「自網」という。）、２０は海外事業者の移動体通信システム（以下、単に「海外網」とよぶ。）、３０は自網１０と海外網２０とを接続する国際中継網、４０は自網１０に接続されている固定網である。
自網１０において、１１は移動機、１２は無線基地局、１３は移動機１１の呼接続制御やサービスの制御を行う移動通信交換局（ＭＳＣ：Mobile Switching Center）、１４はＭＳＣ１３に設けられ、在圏する加入者の加入者情報を一時的に記憶するビジターロケーションレジスタ（ＶＬＲ：Visitor Location Register）、１５は加入者情報や位置情報（加入者の在圏するＶＬＲ番号）を記憶するホームロケーションレジスタ（ＨＬＲ：Home Location Register）、１６は在圏ＶＬＲ番号に基づいて在圏エリアの現在時刻を算出する時刻サーバー、１７は前記国際中継網３０と前記ＭＳＣ１３とを接続する関門ＭＳＣ（Ｇ−ＭＳＣ：Gateway Mobile Switching Center）、１８は前記固定網４０と前記ＭＳＣ１３とを接続するＧ−ＭＳＣである。
また、海外網２０において、２１は前記自網１０の加入ユーザーの国際ローミングサービスに対応した移動機、２２は無線基地局、２３はＭＳＣ、２４はＶＬＲ、２５は前記国際中継網３０と接続するＧ−ＭＳＣである。
【０００９】
このような構成を有する通信システムにおいて、国際ローミングサービスに対応した移動機２１の電源が投入されると海外網２０に対して位置登録要求が発せられる。この位置登録要求は、基地局２２を介して海外網のＭＳＣ２３及びＶＬＲ２４に送信されるが、ＶＬＲ２４には移動機２１の加入者情報が記録されていないため、移動機２１の契約事業者のＨＬＲであるＨＬＲ１５に対し、位置登録要求が送信される。これにより、ＨＬＲ１５には移動機２１が在圏しているＶＬＲ２４を識別するＶＬＲ番号が記録されるとともに、ＨＬＲ１５からＶＬＲ２４に移動機２１のユーザーの加入者情報が送信され、記録される。これにより、移動機２１のユーザーは、移動機２１を用いて国内と同一の電話番号で海外網２０内での通話や国際通話を行うことができる。
【００１０】
本発明においては、国際ローミング中の移動機２１に対する発信（移動機２１への着信呼）があったときに、発信者に対して移動機２１の在圏エリアの現在時刻（在圏エリア時刻）が通知されるのであるが、移動機２１のユーザーは、発信者に対し在圏エリア時刻の通知を行うか否かを設定することができる。この設定情報は、例えば、前記自網１０のＨＬＲ１５にそのユーザーの加入者情報として記録される。ユーザーは、移動機２１の画面操作により在圏エリア時刻通知を行うか否かの設定を行ったり、あるいは、あらかじめ設定された特定の番号に電話をかけ、その指示にしたがって設定することにより、在圏エリア時刻の通知のオン／オフを記録させることができる。
【００１１】
国際ローミング対応の移動機２１に対する発信があったときの処理の概要について、図２を参照して説明する。図２は移動機２１に対する発信があったときに自網１０において実行される処理の概要を示すフローチャートである。
自網１０の加入ユーザーの移動機に対する着信呼があったとき、ＭＳＣ１３（又はＧ−ＭＳＣ１８）はＨＬＲ１５を参照してその移動機の在圏エリアに対応するＶＬＲ番号を取得する。取得されたＶＬＲ番号が海外網２０に属するＶＬＲ２４のものであるときには、海外網２０にローミング中の移動機２１への発信であると判定し、図２に示す処理が行われる。
まず、ＭＳＣ１３はＨＬＲ１５の加入者情報を参照して、移動機２１のユーザーが発信者への在圏エリア時刻通知機能をオンに設定しているのかオフに設定しているのかを判定する（ステップＳ１）。その結果、オフとされているときは、発信シーケンスを実行して（Ｓ５）、移動機２１を呼び出す。
【００１２】
一方、在圏エリア時刻通知機能がオンとされているときは、そのＶＬＲ番号を用いて前記時刻サーバー１６にアクセスし、そのＶＬＲ番号に対応する地域の現在時刻（現地時刻）を取得する（ステップＳ２）。前記時刻サーバー１６は、ＶＬＲ番号に対応して、その地域の現在時刻を応答するものであり、例えば、各ＶＬＲ番号に応じてその地域と自網１０の地域との時差を記録しておき、自網１０の現在時刻に各ＶＬＲ番号に対応した時差情報とを加算することにより、問い合わせのあったＶＬＲ番号に対応する地域の現在時刻を出力するように構成されている。
そして、発信者に対し、時刻サーバー１６から取得した移動機２１の在圏エリアの現在時刻を通知し（Ｓ３）、接続するか否か、あるいは、ボイスメール（留守番電話サービス）にメッセージを残すかを選択させる（Ｓ４）。例えば、発信者に対し、音声にて着信ユーザーの現地時刻を通知し、接続する場合は「１」、接続しない場合は「０」、ボイスメールにメッセージを残す場合は「５」など、選択した処理にそれぞれ対応するダイヤル番号を操作することを促す。発信者は、これに応じて、所望の処理を選択する。
選択された処理が、「接続する」であったときは発信シーケンスを実行し（Ｓ５）、「接続しない」であったときは切断処理を実行し（Ｓ６）、「ボイスメールへ転送」であったときはボイスメールシステムへ接続する（Ｓ７）。
【００１３】
在圏エリア時刻通知を行わないときの処理（通常の発信シーケンス）と、在圏エリア時刻通知を行うときの処理について、図３を参照してさらに説明する。
図３の（ａ）は、在圏エリア時刻通知機能がオフとされているときの処理（前記ステップＳ５）の概要を示す図である。ここでは、移動機１１から国際ローミング対応の移動機２１に対する発信があったものとして説明する。
移動機２１への着信呼（１）があったとき、ＭＳＣ１３はＨＬＲ１５に対して、移動機２１の在圏位置を問い合わせる（２）。前述のように、移動機２１が海外網２０に国際ローミングしているものとすると、ＨＬＲ１５には移動機２１が在圏している海外網２０のＶＬＲ２４を示すＶＬＲ番号が記録されており、ＨＬＲ１５は海外網２０のＭＳＣ２３（ＶＬＲ２４）に対して着信があることを通知し、ＭＳＣ２３までルーチングするための番号を受け取る（３）。前記ＭＳＣ１３は、この番号を用いて、ＭＳＣ２３に対し回線接続要求（４）を送信し、回線接続を確立して通話を可能とする。
このように、国際ローミング対応の移動機２１のユーザーが在圏エリア時刻通知機能をオフに設定しているときは、通常の発信シーケンスにより接続される。
【００１４】
図３の（ｂ）は、在圏エリア時刻通知を行うときの処理の概要を示す図である。
前述の場合と同様に、国際ローミング対応の移動機２１への着信呼（１）があったとき、ＭＳＣ１３はＨＬＲ１５に対して、移動機２１の在圏位置を問い合わせる（２）。その結果、移動機２１が海外網２に国際ローミングしている場合には、前記時刻サーバー１６にアクセスし、ＨＬＲ１５に記録されている移動機２１の在圏ＶＬＲ２４のＶＬＲ番号を用いて在圏エリアの現地時刻を取得する。そして、この現地時刻（３）を前記ＭＳＣ１３に送信する。ＭＳＣ１３では、前記図２のステップＳ３，Ｓ４のとおり、この現地時刻を発信者に通知して（４）、発信者からの選択結果（５）を受信する。そして、該選択結果に応じた処理を行う。例えば、選択結果が「接続する」であるときは、前述の場合と同様に、ＨＬＲ１５から海外網２０のＭＳＣ２３に対して、着信を通知し、ルーチングのための番号を取得し（６）、回線接続要求（７）を送信する。
【００１５】
なお、図３の（ａ）、（ｂ）においては、移動機１１から移動機２１に対する発信が行われた場合について説明したが、前記固定網４０から移動機２１への着信呼が発生したときも、同様に動作することができる。ただし、この場合には、上記におけるＭＳＣ１３の役割をＧ−ＭＳＣ１８が担うこととなる。
【００１６】
このように、本発明によれば、国際ローミング対応の移動機２１が海外網にローミングしているときに、移動機２１に対する発信者に対して現地時刻を通知することにより、迷惑電話をかけることを防止することができる。
また、現地時刻を通知するか否かを移動機２１のユーザーが任意に設定することができるため、移動機２１のユーザーのプライバシーを保護することもできる。
さらに、現地時刻をみて、ボイスメールにメッセージを残すことができるため、発信者は再度電話をかけ直す必要がなくなる。
【００１７】
なお、上述した実施の形態においては、国内の発信者から海外にいるユーザーに対して発信する場合について説明したが、国外からの着信（発信者が海外）の場合についても、着信ユーザーの現在時刻を発信者に通知するようにすることもできる。すなわち、前記時刻サーバー１６から自網１０の現在時刻を取得し、それを海外の発信者に通知するようにすればよい。本発明においては、時差を通知するのではなく、時刻サーバーにより現在時刻そのものを取得するようにしているため、発信者側の現在時刻を意識する必要はない。
【図面の簡単な説明】
【００１８】
【図１】本発明の移動体通信システムを含む通信システムの概略構成を示すブロック図である。
【図２】国際ローミング対応の移動機に対する発信があったときの自網１０における処理の流れを示すフローチャートである。
【図３】国際ローミング対抗の移動機に対する発信があったときの処理の概要を示す図であり、（ａ）は在圏エリア時刻通知を行わないときの処理の概要、（ｂ）は在圏エリア時刻通知を行うときの処理の概要を示す図である。
【符号の説明】
【００１９】
１０：本発明の移動体通信システム（自網）、１１：移動機、１２：基地局、１３：移動通信交換局（ＭＳＣ）、１４：ビジターロケーションレジスタ（ＶＬＲ）、１５：ホームロケーションレジスタ（ＨＬＲ）、１６：時刻サーバー、１７，１８：関門ＭＳＣ（Ｇ−ＭＳＣ）、２０：海外事業者の移動体通信網（海外網）、２１：国際ローミング対応の移動機、２２：海外網の基地局、２３：海外網のＭＳＣ、２４：海外網のＶＬＲ、２５：海外網のＧ−ＭＳＣ、３０：国際中継網、４０：固定網
【図１】
2005124015.tif 000003
【図２】
2005124015.tif 000004
【図３】
2005124015.tif 000005